(57)【要約】【課題】プラズマディスプレイ装置で、プラズマディスプレイ部と信号処理部を分離したタイプの場合、プラズマディスプレイ部と信号処理部のおのおのに主電源回路と待機電源回路が必要であり、電源回路のコストアップを招いていた。【構成手段】待機電源回路をプラズマディスプレイ部または信号処理部の何れか一方に設け、接続ケーブルにより他方に待機電力を供給する。これにより、従来からプラズマディスプレイ部と信号処理部のおのおのに必要であった待機電源回路を何れか一方にのみ設置することができ、コスト低減が図れる。【選択図】　図１
2004064580.tif 000002
【特許請求の範囲】
【請求項１】
映像信号に所定の処理を行う信号処理部と、前記信号処理部からの映像信号を表示する前記信号処理部の筐体とは異なる筐体を有する表示部と、前記信号処理部と前記表示部とを接続する接続ケーブルと、から構成される表示装置であって、
前記信号処理部と前記表示部はそれぞれ電源投入時に動作し、所定の回路に電力を供給する主電源回路を有し、
電源投入時のみでなく電源遮断時である待機状態時にも動作し、所定の待機回路に待機電力を供給する待機電源回路を、前記信号処理部と前記表示部の何れか一方に有し、
前記待機電源回路を備えた一方から他方に、前記接続ケーブルを介して前記待機電力を供給するように構成したことを特徴とする表示装置。
【請求項２】
前記表示部は映像表示素子としてプラズマディスプレイパネルを用いたことを特徴とする請求項１に記載の表示装置。
【発明の詳細な説明】
【０００１】
【発明の属する技術分野】
本発明は、映像信号に所定の処理を行う信号処理部と、信号処理部からの映像信号を映像として表示する信号処理部の筐体と異なる筐体を有する表示部に分離され、両者を中継ケーブルにより接続して使用する表示装置に係わり、特に、信号処理部と表示部にそれぞれ電源回路を有する構成とした場合の待機電源に関する。
【０００２】
【従来の技術】
表示部に映像表示素子として例えばプラズマディスプレイパネルを用いた表示装置においては、プラズマディスプレイパネルの特徴である薄型を追求するひとつの形態として、表示部であるプラズマディスプレイ部と、映像信号の処理を行うプラズマディスプレイ部の筐体と異なる筐体を有する信号処理部と、に分離し、両者を中継ケーブルにより接続し、２体式の構成とする場合がある。このような構成の場合、プラズマディスプレイ部と信号処理部にそれぞれ電源回路を有している。また、それぞれの電源回路は、電源オフの待機状態の時にも動作する待機回路に電源を供給する待機電源回路と待機回路以外の主回路に電源を供給する主電源回路とから構成されるのが一般的である。
【０００３】
その従来技術を図３に示す。図３に示すプラズマディスプレイ部１２と信号処理部１３を接続ケーブル３０で接続して使用する形態において、プラズマディスプレイ部１２には、プラズマディスプレイ部１２の主回路（図示せず）に電源を供給する主電源回路４と待機回路１０に電源を供給する待機電源回路５０が設けられており、信号処理部１３には信号処理部１３の主回路（図示せず）に電源を供給する主電源回路６と待機回路１１に電源を供給する待機電源回路９０が設けられている。プラズマディスプレイ部１２の主電源回路４と待機電源回路５０は商用電源入力端子７からの交流を直流に変換し、信号処理部１３の主電源回路６と待機電源回路９０は商用電源入力端子８からの交流を直流に変換する。接続ケーブル３０は、プラズマディスプレイ部１２と信号処理部１３間の映像信号、音声信号、制御信号等の伝送を行う。また、プラズマディスプレイ部１２の主電源回路４は待機回路１０より出力されるＯＮ−ＯＦＦ制御によりＯＮ−ＯＦＦされ、待機時主電源回路はＯＦＦ状態となり待機時の低消費電力化を図っている。信号処理部１３の主電源回路６も同様に待機回路１１よりＯＮ−ＯＦＦ制御され、待機時の低消費電力化を図っている。なお、待機回路１０と待機回路１１は、リモ−トコントロ−ルユニットからのＯＮ／ＯＦＦリモートコントロール信号や機体に設けられたＯＮ／ＯＦＦスイッチにより主電源回路４と６にそれぞれＯＮ−ＯＦＦ信号を出力し制御する。
【０００４】
【発明が解決しようとする課題】
以上のようにプラズマディスプレイ部と信号処理部を分離し中継ケーブルにより接続する構成では、プラズマディスプレイ部と信号処理部のおのおのに主電源回路と待機電源回路が必要となっているためコストアップを招いている。コストダウンのため、主電源回路と待機電源回路をプラズマディスプレイ部または、信号処理部のどちらか一方に設け、中継ケーブルにより電源を供給する方式も考えられるが、薄型の追求や安全性等に問題が生じてくる。主電源回路と待機電源回路をプラズマディスプレイ部または、信号処理部のどちらか一方に設けた場合の問題について以下に詳しく説明する。
【０００５】
まず、プラズマディスプレイ部に主電源回路と待機電源回路を設けた場合について説明する。この場合、プラズマディスプレイ部に設けられた主電源回路よりプラズマディスプレイ部の主回路と信号処理部の主回路に、待機電源回路よりプラズマディスプレイ部の待機回路と信号処理部の待機回路に電源を供給する。信号処理部への電源供給は、中継ケーブルにより行う。よって、プラズマディスプレイ部の主電源回路、待機電源回路は、プラズマディスプレイ部と信号処理部のおのおのに主電源回路と待機電源回路を設けた場合より、回路規模、回路損失とも大きくなってしまう。
【０００６】
従って、回路を搭載する基板が大きくなり、また、内部温度も上昇するので、プラズマディスプレイ部の筐体を大きくする必要があり、さらに、内部温度上昇を低減する施策も必要となり、プラズマパネルの特徴である薄型を追求するには、大きな問題となる。
【０００７】
次に、信号処理部に主電源回路と待機電源回路を設けた場合について説明する。
【０００８】
この場合、信号処理部に設けられた主電源回路よりプラズマディスプレイ部の主回路と信号処理部の主回路に、待機電源回路よりプラズマディスプレイ部の待機回路と信号処理部の待機回路に電源を供給する。プラズマディスプレイ部への電源供給は、中継ケーブルにより行う。一般的なプラズマディスプレイ部の主回路が必要とする主電源回路の電源電圧としては、プラズマパネルの主放電をつかさどる１６０Ｖ程度の電圧と、アドレス放電用の６０Ｖ程度の電圧と、制御用の５Ｖ程度の電圧があり、４２インチクラスのプラズマパネルであれば主電源回路の消費電力の合計が３００Ｗ以上となる。これらの高電圧、大電流をケーブルで供給するには特殊なケーブルが必要となってくるという問題がある。また、通電中にケーブルが抜けた時などケーブルに高電圧、大電流部が露出する問題があり、安全性に関する配慮が必要となって来る。
【０００９】
以上述べた様に、プラズマディスプレイ部と信号処理部を２筐体に分離し、両者を中継ケーブルにより接続し、２体式の構成とする場合、主電源回路と待機電源回路をプラズマディスプレイ部または信号処理部のどちらか一方に設けると、薄型の追求や安全性等に問題が生じるため、図３に示すようプラズマディスプレイ部と信号処理部のおのおのに主電源回路と待機電源回路を設けるのが一般的となっているが、プラズマディスプレイ部と信号処理部のおのおのに主電源回路と待機電源回路が必要となっているためコストアップを招いている。
【００１０】
本発明の目的は、上記した課題を解決し、薄型化や安全性等に優れ、電源回路のコストダウンが可能な表示装置を提供することにある。
【００１１】
【課題を解決するための手段】
上記課題を解決するために、本発明は、映像信号に所定の処理を行う信号処理部と、前記信号処理部からの映像信号を表示する前記信号処理部の筐体とは異なる筐体を有する表示部と、前記信号処理部と前記表示部とを接続する接続ケーブルと、から構成される表示装置であって、前記信号処理部と前記表示部はそれぞれ電源投入時に動作し、所定の回路に電力を供給する主電源回路を有し、電源投入時のみでなく電源遮断時である待機状態時にも動作し、所定の待機回路に待機電力を供給する待機電源回路を、前記信号処理部と前記表示部の何れか一方に有し、前記待機電源回路を備えた一方から他方に、前記接続ケーブルを介して前記待機電力を供給するように構成する。
【００１２】
【発明の実施の形態】
以下に、本発明の実施の形態を、図を用いて説明する。なお、各図において、図３に共通な要素については同一符号を付して、その説明を省略する。
【００１３】
本発明は、映像表示素子としてプラズマディスプレイパネルを用いた表示部であるプラズマディスプレイ部と映像信号の処理を行う信号処理部とに分離した２つの筐体からなるプラズマディスプレイ装置において、プラズマディスプレイ部と信号処理部の何れか一方は待機電源回路を有せず、他方の待機電源回路から待機電力を供給してもらうようにしたことに特徴がある。
【００１４】
図１は、本発明による第１の実施の形態である。図１において、１はプラズマディスプレイ部、２は信号処理部、３は待機電源ラインを含むプラズマディスプレイ部１と信号処理部２との間の接続ケーブル、５は待機回路１０および待機回路１１に待機電源を供給するプラズマディスプレイ部１に備えられた待機電源回路である。
【００１５】
主電源回路４と待機電源回路５は、商用電源入力端子７に共通に接続されており、主電源回路４は、商用の交流を直流に変換し、プラズマディスプレイ部１の主回路（図示せず）に電源を供給する。待機電源回路５は、商用の交流を５Ｖ程度の直流に変換し、プラズマディスプレイ部１の待機回路１０に電源を供給するとともに、接続ケーブル３を介して信号処理部２の待機回路１１に電源を供給する。
【００１６】
接続ケーブル３を介して待機回路１１に供給される電源は、５Ｖ／１００ｍＡ程度であり、特に特殊なケーブルを必要としない。
【００１７】
つまり、図３に示す従来技術では、プラズマディスプレイ部１２の待機電源回路５０と信号処理部１３の待機電源回路９０と２箇所に待機電源回路が必要であったのに対し、本発明では、プラズマディスプレイ部１の待機電源回路５の１箇所とすることができコスト低減を図れる。
【００１８】
このように、待機電源は必要とする電圧と電流が小さいので、他方に供給しても、消費電力の増加は小さく、接続ケ−ブルに通常用いるものを使用することができ、また、回路を搭載する基板の増加や内部温度の上昇に大きく影響を与えることもない。
【００１９】
次に、本発明の第２の実施の形態について、図２を用いて説明する。図２に示す第２の実施の形態は、待機電源回路９を信号処理部２’に設けた例である。この場合、信号処理部２’の待機回路１１は、信号処理部２’に設けられた待機電源回路９より電源が供給され、プラズマディスプレイ部１’の待機回路１０は、接続ケーブル３を通して信号処理部２’に設けられた待機電源回路９より電源が供給される。第２の実施形態においても従来２箇所必要であった待機電源回路を１箇所とすることができ、コスト低減をはかれる。
【００２０】
以上述べた実施の形態では、表示部に映像表示素子として高電圧、大電力を必要とするプラズマディスプレイを用いたが、本発明はこれに限定されるものではなく、感電の危険があると考えられる６０Ｖを越える電源を必要とする表示部や消費電力が１００Ｗを越える表示部であれば、本発明を適用可能であることは明らかである。
【００２１】
【発明の効果】
以上説明したように、本発明によれば、一方から他方に接続ケーブルを介して電力の小さい待機電源を供給する事により、接続ケ−ブルとして通常に用いるものを使用することができ、また、回路を搭載する基板の増加や内部温度の上昇の影響を小さくして、薄型の追求や安全性等に配慮しながら、プラズマディスプレイ部と信号処理部の２箇所に必要であった待機電源回路をプラズマディスプレイ部もしくは、信号処理部のどちらか一方の１箇所とすることが可能であり、コスト低減を図れる。
【図面の簡単な説明】
【図１】本発明の第１の実施の形態を示すブロック図である。
【図２】本発明の第２の実施の形態を示すブロック図である。
【図３】従来の技術の説明を示すブロック図である。
【符号の説明】
１，１’…プラズマディスプレイ部、２，２’…信号処理部、３，３０…接続ケーブル、４…主電源回路、５，５０…待機電源回路、６…主電源回路、７…商用電源入力端子、８…商用電源入力端子、９，９０…待機電源回路、１０…待機回路、１１：待機回路。
【図１】
2004064580.tif 000003
【図２】
2004064580.tif 000004
【図３】
2004064580.tif 000005